(57)【特許請求の範囲】
【請求項１】
表示器と、該表示器に備えられた情報入力キーと、該情報入力キーのキー入力操作により前記表示器に監視対象の複数種のパラメータを表示及び設定するための複数の設定表示画面と、複数の該設定表示画面が予め登録されたメモリバンクと、該メモリバンク内の所定の遷移経路に従い複数の前記設定表示画面を選択的に切り換えて表示する表示画面切換手段とを備えた調節計であって、
前記キー入力操作により、前記パラメータごとに付されたガイド番号を入力及び表示するためのガイド番号表示画面を前記表示器に表示するガイド番号表示手段と、
前記キー入力操作により、前記ガイド番号表示画面にて前記ガイド番号を入力するためのガイド番号入力手段とを具備し、
前記表示画面切換手段は、前記ガイド番号入力手段によって前記ガイド番号を前記ガイド番号表示画面に入力することにより所定の前記設定表示画面を前記所定の遷移経路によらないで直接に表示し、
前記表示画面切換手段は、前記キー入力操作により、前記監視対象の運転情報を表示するための運転表示画面から前記設定表示画面に画面遷移させるものであって、
前記ガイド番号表示手段は、前記情報入力キーのうち、前記運転表示画面から前記ガイド番号表示画面への画面遷移のための画面遷移キーのキー入力操作により前記ガイド番号表示画面を表示するものであり、
前記情報入力キーのうち、ガイド番号参照のためのガイド番号参照キーのキー入力操作により、前記設定表示画面に所定のパラメータに対応するガイド番号を表示するガイド番号参照手段を具備することを特徴とする調節計。
【請求項２】
表示器と、該表示器に備えられた情報入力キーと、該情報入力キーのキー入力操作により前記表示器に監視対象の複数種のパラメータを表示及び設定するための複数の設定表示画面と、複数の該設定表示画面が予め登録されたメモリバンクと、該メモリバンク内の所定の遷移経路に従い複数の前記設定表示画面を選択的に切り換えて表示する表示画面切換手段とを備えた調節計であって、
前記キー入力操作により、前記パラメータごとに付されたガイド番号を入力及び表示するためのガイド番号表示画面を前記表示器に表示するガイド番号表示手段と、
前記キー入力操作により、前記ガイド番号表示画面にて前記ガイド番号を入力するためのガイド番号入力手段とを具備し、
前記表示画面切換手段は、前記ガイド番号入力手段によって前記ガイド番号を前記ガイド番号表示画面に入力することにより所定の前記設定表示画面を前記所定の遷移経路によらないで直接に表示し、
前記表示画面切換手段は、前記キー入力操作により、前記監視対象の運転情報を表示するための運転表示画面から前記設定表示画面に画面遷移させるものであって、
前記ガイド番号表示手段は、前記情報入力キーのうち、前記運転表示画面から前記ガイド番号表示画面への画面遷移のための画面遷移キーのキー入力操作により前記ガイド番号表示画面を表示するものであり、
前記ガイド番号入力手段は、前記情報入力キーのうち、前記ガイド番号入力のためのガイド番号入力キーのキー入力操作により前記ガイド番号を入力するものであり、
前記情報入力キーのうち、ガイド番号参照のためのガイド番号参照キーのキー入力操作により、前記設定表示画面に所定のパラメータに対応するガイド番号を表示するガイド番号参照手段を具備することを特徴とする調節計。
【発明の詳細な説明】
【技術分野】
【０００１】
本発明は、監視対象の複数種の情報を選択的に表示する表示器を備えた調節計に関する。
【背景技術】
【０００２】
この種の調節計としては、例えば温度センサにて測定された温度の測定値（ＰＶ値）に基づいて加熱・冷却装置などの制御対象の作動を制御する温度調節計がある。この温度調節計にはＰＶ値の他、予め設定された制御目標としての設定値（ＳＰ値）や、ＳＰ値に対するＰＶ値の偏差に応じ、例えばＰＩＤ制御の下で求められた制御対象に対する制御出力値（ＭＶ値）などの監視対象の複数種の運転情報を選択的に表示するための表示器が設けられ、表示器には監視対象の複数種のパラメータを表示及び設定するための複数の設定表示画面を選択的に切り換えて表示し得るように構成されている。
【０００３】
そして、表示器に予め登録された複数のＳＰ値を切り換えて表示させる切換スイッチを備えたものが知られている（例えば特許文献１参照）。
【特許文献１】特開平１１−１７５１０１号公報
【発明の開示】
【発明が解決しようとする課題】
【０００４】
しかしながら、上記従来技術は、上記設定表示画面が例えばツリー構造をなして予め登録されたメモリバンクを備え、表示器に備えられた情報入力キーのキー入力操作によりメモリバンク内にて予め定められた所定の遷移経路で設定表示画面を遷移させて巡回的に切り換えるものであり、調節計のユーザは所定のパラメータを設定するためにメモリバンク内におけるパラメータの設定表示画面の位置、その位置に到達するためのキー入力操作方法、それに伴う画面遷移仕様などを熟知している必要がある。
【０００５】
また、パラメータによってはメモリバンク内にてパラメータの設定表示画面に到達するためのキー入力操作の回数が多くなってパラメータの設定作業に長時間を要し、更に、表示器に設けられた比較的小さな操作キーを操作することからキー入力操作ミスも頻発し易いため、これらにより、パラメータを設定する際のユーザの操作負担が大きいとの問題がある。
【０００６】
本発明は、このような課題に鑑みてなされたもので、簡易にして迅速にかつ確実にパラメータを設定をすることができ、パラメータを設定する際のユーザの操作負担を低減することができる調節計を提供することを目的とする。
【課題を解決するための手段】
【０００７】
上記の目的を達成するべく、請求項１記載の調節計は、表示器と、この表示器に備えられた情報入力キーと、この情報入力キーのキー入力操作により表示器に監視対象の複数種のパラメータを表示及び設定するための複数の設定表示画面と、複数のこの設定表示画面が予め登録されたメモリバンクと、このメモリバンク内の所定の遷移経路に従い複数の設定表示画面を選択的に切り換えて表示する表示画面切換手段とを備えた調節計であって、キー入力操作により、パラメータごとに付されたガイド番号を入力及び表示するためのガイド番号表示画面を表示器に表示するガイド番号表示手段と、キー入力操作により、ガイド番号表示画面にてガイド番号を入力するためのガイド番号入力手段とを具備し、表示画面切換手段は、ガイド番号入力手段によってガイド番号をガイド番号表示画面に入力することにより所定の設定表示画面を所定の遷移経路によらないで直接に表示し、表示画面切換手段は、キー入力操作により、監視対象の運転情報を表示するための運転表示画面から設定表示画面に画面遷移させるものであって、ガイド番号表示手段は、情報入力キーのうち、運転表示画面からガイド番号表示画面への画面遷移のための画面遷移キーのキー入力操作によりガイド番号表示画面を表示するものであり、情報入力キーのうち、ガイド番号参照のためのガイド番号参照キーのキー入力操作により、設定表示画面に所定のパラメータに対応するガイド番号を表示するガイド番号参照手段を具備することを特徴としている。
【０００８】
また、請求項２記載の発明では、表示器と、該表示器に備えられた情報入力キーと、該情報入力キーのキー入力操作により表示器に監視対象の複数種のパラメータを表示及び設定するための複数の設定表示画面と、複数の該設定表示画面が予め登録されたメモリバンクと、該メモリバンク内の所定の遷移経路に従い複数の設定表示画面を選択的に切り換えて表示する表示画面切換手段とを備えた調節計であって、キー入力操作により、パラメータごとに付されたガイド番号を入力及び表示するためのガイド番号表示画面を表示器に表示するガイド番号表示手段と、キー入力操作により、ガイド番号表示画面にてガイド番号を入力するためのガイド番号入力手段とを具備し、表示画面切換手段は、ガイド番号入力手段によってガイド番号をガイド番号表示画面に入力することにより所定の設定表示画面を所定の遷移経路によらないで直接に表示し、表示画面切換手段は、キー入力操作により、監視対象の運転情報を表示するための運転表示画面から設定表示画面に画面遷移させるものであって、ガイド番号表示手段は、情報入力キーのうち、運転表示画面からガイド番号表示画面への画面遷移のための画面遷移キーのキー入力操作によりガイド番号表示画面を表示するものであり、ガイド番号入力手段は、情報入力キーのうち、ガイド番号入力のためのガイド番号入力キーのキー入力操作によりガイド番号を入力するものであり、情報入力キーのうち、ガイド番号参照のためのガイド番号参照キーのキー入力操作により、設定表示画面に所定のパラメータに対応するガイド番号を表示するガイド番号参照手段を具備することを特徴としている。
【発明の効果】
【００１０】
従って、本発明の調節計によれば、表示画面切換手段は、ガイド番号入力手段によってパラメータに対応するガイド番号をガイド番号表示画面に入力することにより所定の設定表示画面をメモリバンク内の所定の遷移経路によらないで直接に表示する。これにより、調節計のユーザは簡易にして迅速にかつ確実にパラメータを設定をすることができ、ユーザの操作負担を低減することができる。
【発明を実施するための最良の形態】
【００１１】
以下、図面を参照して本発明の一実施形態に係る調節計について説明する。
図１は本実施形態に係る調節計の概略構成を示しており、この種の調節計としては、例えば温度センサにて測定された温度の測定値（ＰＶ値）に基づいて加熱・冷却装置等の制御対象の作動を制御する温度調節計がある。この温度調節計にはＰＶ値の他、予め設定された制御目標としての設定値（ＳＰ値）や、ＳＰ値に対するＰＶ値の偏差に応じ、例えばＰＩＤ制御の下で求められた制御対象に対する制御出力値（ＭＶ値）等の監視対象の複数種の情報に基づいて所定の処理を実行する温度調節計本体１０と、温度調節計本体１０にて取り扱われる監視対象の複数種の情報を選択的に表示する表示器２０とを備えている。
【００１２】
温度調節計本体１０にはマイクロプロセッサ等を主体として構成された制御演算部１が設けられ、制御演算部１はデータ入力部２を介して監視対象の情報を受け、制御対象の動作を制御する為の情報をデータ出力部３を介して出力する。
また、温度調節計本体１０には温度調節計本体１０にて取り扱われる複数種の情報を表示器２０を用いて選択的に表示する表示制御部４が設けられている。更に、温度調節計本体１０には外部からの指示を受けて複数種の情報から構成される表示画面の表示項目を設定する表示設定部５と、表示器２０にて表示する表示画面を選択的に切り換えて表示する表示画面切換部（表示画面切換手段）６とが設けられ、これら表示設定部５及び表示画面切換部６が表示制御部４の動作を制御している。
【００１３】
一方、表示器２０は、温度調節計本体１０を内蔵したケース（図示せず）の前面パネルに組み込まれた複数桁の数字・文字表示器や、状態表示用の発光器等からなる。
具体的には、図２の表示器２０の前面パネルの構成例に示されるように、前面パネルの上段部には複数桁（例えば５桁）の数字・文字を表示する為の第１表示部２１が設けられ、中段部には上記第１の表示部２１より若干小型の５桁の数字・文字を表示する為の第２表示部２２、及び３桁の文字・数字を表示する為の補助表示部２３が設けられている。
【００１４】
また、前面パネルにおける第１表示部２１の両側部には、予め定められた情報を略語（略記）表示する複数個のモード表示灯２４及びループ番号表示灯２５が設けられており、第２表示部２２の側部には、予め定められた情報を略語（略記）表示するユーザファンクション表示灯２６が設けられている。更に、前面パネルにおける第２表示部２２の下側には、データ出力に関する複数種のモード表示灯２７が設けられると共に、各種の状態情報を棒状にグラフィック表示する為のマルチステータス表示灯２８が設けられている。なお、前面パネルの下段部にはカーソルキーや、各種の動作モードを設定する為の動作設定キーを含む複数の操作キー（情報入力キー）と、温度調節計をパーソナルコンピュータ等の外部機器に接続する為のローダジャックが設けられている。
【００１５】
このように構成された温度調節計は、表示画面切換部６を介して表示器２０の各表示部２１，２２，２３から構成される表示枠に、監視対象の複数種の情報としての上述したＰＶ値、ＳＰ値、ＭＶ値等の監視対象の運転情報を表示する為の運転表示画面や、ＳＰ値や異常検出時のイベント（ＥＶ）情報などのパラメータを表示、設定する為の設定表示画面といった複数の表示画面を選択的に表示する。
【００１６】
特に、パラメータを表示、設定する為の設定表示画面は、ＳＰ/ＥＶバンク３０たるメモリバンクに登録され、ＳＰ/ＥＶバンク３０は各種のパラメータがツリー状の階層構造なして構成され、表示設定部５に格納されている。
以下、図３のＳＰ/ＥＶバンク３０におけるパラメータの設定表示画面の遷移図を参照して、表示設定部５の制御の下で、ＳＰ/ＥＶバンク３０に登録された例えば「ＰＩＤ．０５」なる項目コードを有するパラメータを設定する際の設定手順について説明する。
【００１７】
先ず、パラメータ設定を開始するために、温度調節計の電源を投入し、操作キーの１つであるディスプレイキーを押すことにより運転表示画面３１に遷移してＳ１に移行する（以下、Ｓはステップを表す）。
Ｓ１では、運転表示画面３１において操作キーの１つであるｓｐ/ｅｖキーを２秒間押すことによりパラメータを表示設定する為の設定表示画面３２に遷移してＳＰ/ＥＶバンク３０に入り、第１表示部２１に「ＳＰｎｏ」なるパラメータの項目コードを点滅させてＳ２に移行する。
【００１８】
Ｓ２では、カーソルキーの１つであるダウン（∨）キーを２回押して第１表示部２１に「Ｌ２．ＬＳＰ」なる項目コードを点滅させてＳ３に移行する。
Ｓ３では、操作キーの１つであるエンターキーを押して第１表示部２１に「ＬＳＰ.０１」なる項目コードを点灯させてＳ４に移行する。
Ｓ４では、カーソルキーであるダウン（∨）キーまたはアップ（∧）キーを押して第１表示部２１に「ＰＩＤ．０５」なる項目コードを点灯させてＳ５に移行する。このとき、補助表示部２３には「Ｌ２」と表示され、制御対象の種別が２ループであることを示しており、第２表示部２２には初期設定値として「１」と表示されている。
【００１９】
Ｓ５では、エンターキーを押して第２表示部２２の初期設定値である数値「１」を点滅させ、ダウン（∨）キーまたはアップ（∧）キーを押して第２表示部２２に所望の数値を表示させ、最後にエンターキーを押して確定した後、ディスプレイキーを押すことにより設定表示画面３２から運転表示画面３１に画面復帰させてパラメータ設定が完了する。
このように、ＳＰ/ＥＶバンク３０のパラメータを設定する際には、運転表示画面３１から所定のキー入力操作によって所定の遷移経路に従い所望のパラメータの設定表示画面３２に到達することができる。
【００２０】
ここで、本実施形態では、以下の表１のＳＰ/ＥＶバンク３０のパラメータ一覧表に示されるように、パラメータには項目コードごとに予めガイド番号が付され、前面パネルにはは運転表示画面３１及び設定表示画面３２の他、ユーザが所定のガイド番号を入力し、表示させるためのガイド番号表示画面３３にも切り換え可能に構成されている。そして、ガイド番号表示画面３３の状態にて操作キーを操作してガイド番号を入力することにより、運転表示画面３３から上述したようなＳＰ/ＥＶバンク３０の遷移経路によらないで所望のパラメータの設定表示画面３２に直接に遷移することができる。
【００２１】
【表１】
0005009211.tif 000002
以下、図３及び表１を参照して、ユーザがガイド番号表示画面３３経由にてパラメータ「ＰＩＤ．０５」を設定する際の設定手順について説明する。なお、ＳＰ/ＥＶバンク２４内の各設定表示画面３２の右上に付された数字はガイド番号である。
【００２２】
先ず、パラメータ設定を開始するために、温度調節計の電源を投入し、操作キーの１つであるディスプレイキーを押すことにより運転表示画面３１に遷移してＳ１に移行する。
Ｓ１では、運転表示画面３１において例えばエンターキー（画面遷移キー）を２秒間押すことによりガイド番号表示画面３３に遷移してＳ６に移行する（ガイド番号表示手段）。このとき、例えば補助表示部２３にはガイド番号の初期値として「１」が点滅して表示され、第１表示部２１にはガイド番号「１」に対応する項目コードである「ＳＰｎｏ」が表示されている。
【００２３】
Ｓ６では、カーソルキー（ガイド番号入力キー）であるダウン（∨）キーまたはアップ（∧）キーを押して補助表示部２３にガイド番号「４３」を点滅させる（ガイド番号入力手段）。このとき、第１表示部２１にはガイド番号「４３」に対応する項目コード「ＰＩＤ．０５」が表示される。なお、エンターキーを押したときのみ第１表示器２１に項目コード「ＰＩＤ．０５」が表示されるようにしても良い。そして、エンターキーを押してガイド番号を確定するとＳ５に移行し、図３中の点線矢印で示すように、「ＰＩＤ．０５」のパラメータの設定表示画面３２に直接に遷移する。
【００２４】
Ｓ５では、上述した場合と同様に、パラメータを所望の数値を設定した後、設定表示画面３２から運転表示画面３１に画面復帰させてパラメータ設定が完了する。
以上のように、本実施形態によれば、表示画面切換部６は、エンターキーを２秒間押すことによりガイド番号表示画面３３に遷移し、パラメータに対応するガイド番号をガイド番号表示画面３３にに入力することにより所定の設定表示画面３２をＳＰ/ＥＶバンク３０内の所定の遷移経路によらないで、上述したパラメータ設定手順のＳ２、Ｓ３、Ｓ４のステップをショートカットして直接に表示する。これにより、温度調節計のユーザは簡易にして迅速にかつ確実にパラメータを設定をすることができ、ユーザの操作負担を低減することができる。
【００２５】
具体的には、ユーザは所定のパラメータを設定する際に、調節計の機種毎に異なるＳＰ/ＥＶバンク３０等のメモリバンク内における所定のパラメータの設定表示画面３２の位置、その位置に到達するためのキー入力操作方法、それに伴う画面遷移仕様を熟知していなくても良く、最低限のキー入力操作方法及び画面遷移仕様を理解しているだけで充分である。
【００２６】
また、ＳＰ/ＥＶバンク３０内にてパラメータの設定表示画面３２に到達するためのキー入力操作がなくなるため、パラメータの設定作業を短時間で完了することができ、ひいてはキー入力操作ミスも抑制することができる。
更に、例えば、キー入力操作方法を記載した操作マニュアルなども大幅に簡素化することも可能であり、また、、ユーザとオペレータとの間の電話等によるパラメータの確認にガイド番号を利用することにより連絡ミスを防止することもできる。
【００２７】
以上で本発明の一実施形態についての説明を終えるが、本発明は上記実施形態に限定されるものではなく、本発明の趣旨を逸脱しない範囲で種々の変更ができるものである。
例えば、上記実施形態では、パラメータの項目コードに対応するガイド番号を付し、項目コード、ガイド番号の両方からパラメータを呼び出して表示、設定することができるが、項目コードを撤廃し、ガイド番号のみからパラメータを呼び出すようにしても良い。
【００２８】
また、上記実施形態では、画面遷移キーとしてのエンターキーを２秒間押すことにより運転表示画面３１からガイド番号表示画面３３に切り換えているが、エンターキー以外の他の操作キーを利用しても良く、或いは、前面パネルにガイド番号表示画面に切り換える為の画面遷移キーを専用に設けても良い。
更に、上記実施形態では、ガイド番号入力キーとしてのカーソルキーによりガイド番号を入力しているが、カーソルキー以外の他の操作キーを利用しても良く、或いは、前面パネルにガイド番号入力キーを専用に設けても良い。
【００２９】
更にまた、上記実施形態では、補助表示部２３にガイド番号を表示させているが、これに限らず他の表示部２１，２２に表示させても良く、或いは、前面パネルにガイド番号表示部を専用に設けても良い。これらにより、ユーザはパラメータの設定に際し、ＳＰ/ＥＶバンク３０等のメモリバンク内における所定のパラメータの設定表示画面３２の位置、その位置に到達するためのキー入力操作方法、それに伴う画面遷移仕様を全く知らなくても、直感的にキー入力操作を行うことができるため、更に簡易にして迅速にかつ確実にパラメータを設定をすることができて好ましい。
【００３０】
また、上記実施形態では、ガイド番号を入力することで項目コードを表示させるようにしているが、設定表示画面３２が表示されている状態において例えばエンターキー（ガイド番号参照キー）を押すことで項目コードからガイド番号を一時的に参照可能に構成しても良い（ガイド番号参照手段）。この場合には、設定表示画面３２に表示されたパラメータからガイド番号をいわば逆引きすることができ、メモリバンク内の遷移経路により所定のパラメータの設定表示画面３２に到達した場合であっても、ユーザとオペレータとの間におけるパラメータの確認にガイド番号を利用できるため、より一層確実にパラメータを設定をすることができて好適である。
【図面の簡単な説明】
【００３１】
【図１】本発明の一実施形態に係る調節計の概略構成を示す図である。
【図２】図１の表示器の前面パネルの構成例を示す図である。
【図３】図１の表示設定部に格納されるメモリバンクにおけるパラメータの設定表示画面の遷移を示す図である。
【符号の説明】
【００３２】
２０  表示器
３０  ＳＰ/ＥＶバンク（メモリバンク）
３１  運転表示画面
３２  設定表示画面
３３  ガイド番号表示画面
【図１】
0005009211.tif 000003
【図２】
0005009211.tif 000004
【図３】
0005009211.tif 000005